(57)【要約】【課題】  三角形分割手法に基づき高品質に補間処理を行える上に、ノイズ状のパターンを含んでも菱形の繰り返しが表出することなく適切に補間処理を行えるようにする。【解決手段】  画像表示プロセッサ１は、画像デコーダ１１と、ＶＲＡＭ１２と、描画回路１３と、補間画素が参照すべき画素を決定すべく、伸長された格子状の画素点を含む二次元平面を三角形分割手法に基づき幾何学的に三角形に分割し、各格子領域を複数分割パターンのうちの１つに決定する三角形分割評価回路１４とを有している。描画回路１３は、補間回路１３１を含み、その補間回路１３１は、補間画素が含まれる格子の分割パターンと、その周辺の格子の分割パターンとの関係に基づき、その補間画素の値を、三角形分割手法とバイリニア手法のどちらの手法により求めるかを判定する補間手法判定部１３１１と、三角形分割補間部１３１２と、バイリニア補間部１３１３とを含んでいる。【選択図】  図１
2014048941.tif 000002
【特許請求の範囲】
【請求項１】
画像データの各画素に対して、原則三角形分割手法により補間処理を行って拡大画像を表示する画像表示処理方法であって、
前記画像データの各画素を頂点とする格子状の各領域に渡って、前記三角形分割手法に基づき連続的に領域分割することにより、各領域ごとに分割パターンを予め決定し、
補間により値を決定すべき画素がある場合に、その補間すべき画素を含む格子の領域についての分割パターンと、当該格子領域の上下左右に隣接する格子領域についての各分割パターンとを参照し、
前記上下左右に隣接する格子領域の分割パターンの分割の向きが、当該格子領域の分割パターンの分割の向きと異なる場合には、前記補間により値を決定すべき画素の値を求める補間手法として前記三角形分割手法を採用しないことを特徴とする画像表示処理方法。
【請求項２】
前記上下左右に隣接する格子領域のすべての分割パターンの分割の向きが、当該格子領域の分割パターンの分割の向きと異なる場合には、前記補間により値を決定すべき画素の値を求める補間手法として前記三角形分割手法を採用しないことを特徴とする請求項１に記載の画像表示処理方法。
【請求項３】
前記上下左右に隣接する格子領域のすべての分割パターンの分割の向きが、当該格子領域の分割パターンの分割の向きと異なる場合には、前記補間により値を決定すべき画素の値を求める補間手法として、バイリニア法又はバイキュービック法を採用することを特徴とする請求項２に記載の画像表示処理方法。
【請求項４】
各領域ごとに分割パターンを予め決定した後、前記画像データと、各領域の前記分割パターンとを対応付けて予めメモリに格納しておくことを特徴とする請求項１に記載の画像表示処理方法。
【請求項５】
前記上下左右に隣接する格子領域のすべての分割パターンの分割の向きが、当該格子領域の分割パターンの分割の向きと異なる場合には、前記メモリに格納された当該格子領域の分割パターンを「分割なし」に書き換えることを特徴とする請求項４に記載の画像表示処理方法。
【請求項６】
前記画像データは、圧縮符号化された画像データであり、前記分割パターンを決定する処理の前に、前記圧縮画像データを伸長処理することを特徴とする請求項１に記載の画像表示処理方法。
【請求項７】
前記画像データは、漫画に係るデータであることを特徴とする請求項１乃至６のいずれかに記載の画像表示処理方法。
【請求項８】
画像データの各画素を頂点とする格子状の各領域に渡って、前記三角形分割手法に基づき連続的に領域分割することにより、各領域ごとに分割パターンを決定する三角形分割評価回路と、
前記画像データと、前記三角形分割評価回路により決定された各領域の分割パターンとを対応付けて格納する画像メモリと、
補間により値を決定すべき画素がある場合に、前記画像メモリ内の、その補間すべき画素を含む格子の領域についての分割パターンと、当該格子領域の上下左右に隣接する格子領域についての各分割パターンとを参照し、前記上下左右に隣接する格子領域のすべての分割パターンの分割の向きが、当該格子領域の分割パターンの分割の向きと異なる場合には、前記補間により値を決定すべき画素の値を求める補間手法としてバイリニア法又はバイキュービック法を採用する描画回路と、
を備えることを特徴とする画像表示処理装置。
【請求項９】
前記画像データは、圧縮符号化された画像データであり、その圧縮画像データを伸長処理するデコーダを更に備えることを特徴とする請求項８に記載の画像表示処理装置。
【発明の詳細な説明】
【技術分野】
【０００１】
本発明は、画像表示処理方法及び画像表示処理装置に関し、特に、画像を拡大・回転・変形等して表示する際の補間処理を伴う画像表示処理方法及び画像表示処理装置に関する。
【背景技術】
【０００２】
低解像度の画像を高解像度の画像に変換すべく画素を補間する方法や、画像の回転・変形処理において原画素値を用いて新たな画素値を決定する方法としては、従来より様々な方法が提案されている。例えば、バイリニア法は、補間点を囲む４点の画素からの距離に応じて、それらの画素値を線形に内挿して補間画素（少数画素とも称す）値を決定する方法である。また、バイキュービック法は、補間点の周囲にある１６点の画素の画素値を利用して所定の３次元関数の値を算出して補間画素値を決定する方法である。
【０００３】
しかしながら、上述の各方法では、斜め方向のエッジにいわゆるジャギーが発生したり、全体的にぼやけてしまうという課題がある。
【０００４】
そこで、高品質な拡大手法として、コスト関数やエッジ方向などに応じて、画像領域を三角形に分割して画素を補間する三角形分割手法が提案されており、代表的なものとして、Data Dependent Triangulationが挙げられる（例えば、非特許文献１参照）。これは、各画素を頂点とする格子状の各領域に渡って、コスト関数に基づいて分割といわゆる”edge swap”とを繰り返して領域を分割し、補間すべき画素の値を算出する際のサンプリング（参照）画素点を決定する手法である。
【０００５】
上述の三角形分割手法によれば、斜め方向のエッジについて、ジャギーの発生を抑えることができ、ぼやけてしまうという課題が克服できる。
【先行技術文献】
【非特許文献】
【０００６】
【非特許文献１】X.Yu, B. S. Morse, and T. W. Sederberg, “Image Reconstruction UsingData-Dependent Triangulation”, IEEE Computer Graphics and Applications, Vol.21, No. 3, pp. 62-68 May/Jun. (2001)
【発明の概要】
【発明が解決しようとする課題】
【０００７】
ところで、コミック（漫画）やイラストにおいては、いわゆるスクリーントーン（登録商標）が多用されている。スクリーントーンの中で最も典型的なのは、網点、ドット、砂目などのノイズ状のパターンである。かかるノイズ状のパターンは、基本パターンの二次元的な繰り返しパターンと捉えることができる（巨視的には市松模様）が、特定のノイズ状のパターンに対して、三角形分割手法に基づく拡大を施すと、補間後の画像が菱形形状の繰り返しとなり、結果として主観画質が低下してしまうという課題があった。
【０００８】
つまり、三角形分割手法基づく拡大によれば、斜め方向のエッジについての課題は解決できるものの、特定のノイズ状のパターンについては、逆に好ましくない補間処理を招いてしまう。
【０００９】
本発明は上述のような事情から為されたものであり、本発明の目的は、三角形分割手法に基づき高品質に補間処理を行える上に、特定のノイズ状のパターンを含んでも菱形の繰り返しが表出することなく適切に補間処理を行える画像表示処理方法及び画像表示処理装置を提供することにある。
【課題を解決するための手段】
【００１０】
上記目的を達成するため、本発明の画像表示処理方法は、画像データの各画素に対して、原則三角形分割手法により補間処理を行って拡大画像を表示する画像表示処理方法であって、前記画像データの各画素を頂点とする格子状の各領域に渡って、前記三角形分割手法に基づき連続的に領域分割することにより、各領域ごとに分割パターンを予め決定し、補間により値を決定すべき画素がある場合に、その補間すべき画素を含む格子の領域についての分割パターンと、当該格子領域の上下左右に隣接する格子領域についての各分割パターンとを参照し、前記上下左右に隣接する格子領域の分割パターンの分割の向きが、当該格子領域の分割パターンの分割の向きと異なる場合には、前記補間により値を決定すべき画素の値を求める補間手法として前記三角形分割手法を採用しないことを要旨とする。
【００１１】
ここで、好適には、前記上下左右に隣接する格子領域のすべての分割パターンの分割の向きが、当該格子領域の分割パターンの分割の向きと異なる場合には、前記補間により値を決定すべき画素の値を求める補間手法として前記三角形分割手法を採用しない。
【００１２】
また、具体的には、前記上下左右に隣接する格子領域のすべての分割パターンの分割の向きが、当該格子領域の分割パターンの分割の向きと異なる場合には、前記補間により値を決定すべき画素の値を求める補間手法として、バイリニア法又はバイキュービック法を採用する。
【００１３】
また、実際には、各領域ごとに分割パターンを予め決定した後、前記画像データと、各領域の前記分割パターンとを対応付けて予めメモリに格納しておく。
【００１４】
ここで、前記上下左右に隣接する格子領域のすべての分割パターンの分割の向きが、当該格子領域の分割パターンの分割の向きと異なる場合には、前記メモリに格納された当該格子領域の分割パターンを「分割なし」に書き換えるようにしてもよい。
【００１５】
また、一般的には、前記画像データは、圧縮符号化された画像データであり、前記分割パターンを決定する処理の前に、前記圧縮画像データを伸長処理する。
【００１６】
前記画像データが、漫画に係るデータである場合に好適である。
【００１７】
また、上記目的を達成するため、本発明の画像表示処理装置は、画像データの各画素を頂点とする格子状の各領域に渡って、前記三角形分割手法に基づき連続的に領域分割することにより、各領域ごとに分割パターンを決定する三角形分割評価回路と、前記画像データと、前記三角形分割評価回路により決定された各領域の分割パターンとを対応付けて格納する画像メモリと、補間により値を決定すべき画素がある場合に、前記画像メモリ内の、その補間すべき画素を含む格子の領域についての分割パターンと、当該格子領域の上下左右に隣接する格子領域についての各分割パターンとを参照し、前記上下左右に隣接する格子領域のすべての分割パターンの分割の向きが、当該格子領域の分割パターンの分割の向きと異なる場合には、前記補間により値を決定すべき画素の値を求める補間手法としてバイリニア法又はバイキュービック法を採用する描画回路と、を備えることを要旨とする。
【００１８】
ここで、一般的には、前記画像データは、圧縮符号化された画像データであり、その圧縮画像データを伸長処理するデコーダを更に備える。
【発明の効果】
【００１９】
本発明の画像表示処理方法及び画像表示処理装置によれば、原則的に三角形分割手法を採用して高品質に補間処理を行うと共に、特定のノイズ状のパターンの部分には、バイリニア法に切り替えて処理しているので、菱形の繰り返しが表出することなく適切に補間処理を行える。また、画像データのすべての分割パターンを予め一括して求めておくことで、処理の効率化を図っている。
【図面の簡単な説明】
【００２０】
【図１】本発明の画像表示処理装置の一実施形態を含む画像処理装置の構成ブロック図である。
【図２】画像表示プロセッサにおけるＶＲＡＭへの格納までの処理手順を示すフローチャートである。
【図３】分割パターンの種類を示す図である。
【図４】三角形分割評価回路における分割パターンの決定の仕方を説明するための図である。
【図５】画像表示プロセッサにおける描画回路の処理手順を示すフローチャートである。
【図６】描画回路における画素の補間を説明するための図である。
【図７】本発明の実施形態の効果を説明するための図である。
【図８】特定のノイズ状のパターンのときの分割パターンを示す図である。
【発明を実施するための形態】
【００２１】
以下、図面を参照して、本発明の実施の形態について詳細に説明する。  
図１は、本発明の画像表示処理装置の一実施形態を含む画像処理装置の構成ブロック図である。図１に示した画像処理装置は、概して、画像表示プロセッサ１、画像データＲＯＭ（Read Only Memory）２、及び表示部３を備えている。なお、画像表示プロセッサ１には更にＣＰＵ（Central Processing Unit）が接続され、そのＣＰＵにはプログラムＲＯＭが接続されるのが典型であるが、ここでは省略する。また、この画像処理装置は、典型的には、表示部３の表示画面において、漫画等の静止画、動画が表示される携帯端末装置、ゲーム機等に搭載される。
【００２２】
画像表示プロセッサ１は、画像データＲＯＭ２から圧縮された画像データを読み出して伸長処理を行う画像デコーダ１１と、伸長された画像データが展開格納されるＶＲＡＭ（Video Random Access Memory）１２と、ＶＲＡＭ１２に展開格納された画像データを参照して、補間処理を含む各種描画処理を行う描画回路１３と、画像デコーダ１１により伸長された画像データに基づいて、補間すべき画素が参照すべきサンプリング画素を決定すべく、画像デコーダ１１により伸長された格子状の画素点を含む二次元平面を三角形分割手法に基づき幾何学的に三角形に分割し、各格子領域を複数分割パターンのうちの１つに決定する三角形分割評価回路１４と、を有している。
【００２３】
ここで、描画回路１３は、補間回路１３１を含み、更にその補間回路１３１は、注目している補間により求めるべき画素（以下、「補間すべき画素」又は単に「補間画素」とも称す）が含まれる格子についての分割パターンと、その周辺の格子の分割パターンとの関係に基づき、その補間すべき画素の値を、三角形分割手法とバイリニア手法のうちのいずれの手法により求めるかを判定する補間手法判定部１３１１と、三角形分割手法により補間処理を行う三角形分割補間部１３１２と、バイリニア法により補間処理を行うバイリニア補間部１３１３と、を含んでいる。
【００２４】
図２（ａ）及び（ｂ）は、画像表示プロセッサ１におけるＶＲＡＭ１２への格納までの処理手順を示すフローチャートである。同図を参照して、まず、図示しないＣＰＵからの指令に応じて、画像デコーダ１１が、画像データＲＯＭ２から所望の画像データを読み出して伸長処理を施し、伸長された画像データＰＤをＶＲＡＭ１２に展開格納すると共に、三角形分割評価回路１４に送る（ステップＳ１）。
【００２５】
三角形分割評価回路１４は、伸長された画像データＰＤをシーケンシャルに入力しつつ、分割パターン情報ＤＰＩを決定する（ステップＳ２）。ここで、図３及び図４を参照して、三角形分割評価回路１４における処理を説明する。ここでは、画素値の傾斜を３６０度／１６の精度、すなわち２２．５度単位の精度まで近似する場合を説明する。
【００２６】
画素値の傾斜を２２．５度単位の精度まで近似する場合、注目する４つの画素点が形成する格子領域の各々に決定される分割パターンは、図３に示した１５通りとなる。このとき、ノイズ耐性を考慮すると共に各格子領域の分割パターンの連続性を担保しつつ決定するためには、図４（ａ）に示すように、その格子の各頂点の４画素を含めて周囲３６画素を参照する必要がある。
【００２７】
そこで、三角形分割評価回路１４は、図４（ｂ）に示すように、画像デコーダ１１から伸長された画像データがライン単位（もしくはブロック単位）でシーケンシャルに送られてくるのに応じて、注目する格子領域をシフトしつつ、注目する格子領域について、三角形分割手法に基づき、順次、分割パターン（図３に示したいずれか）を決定する（ステップＳ２１）。そして、三角形分割評価回路１４は、各格子領域について得られた分割パターンを、分割パターン情報ＤＰＩとしてＶＲＡＭ１２に送り（ステップＳ２２）、ＶＲＡＭ１２は、各格子領域に対応した情報として分割パターン情報ＤＰＩを格納する。これを注目する格子領域をシフトしつつ最終領域まで行う（ステップＳ２３，Ｓ２４）。このように、三角形分割評価回路１４においては、画像デコーダ１１の処理に対してパイプライン処理を行い、つまり、伸長された画像データを画像デコーダ１１からシーケンシャルに受け取りつつ、ラインバッファを活用して各格子領域について順次、分割パターンを決定することができる。なお、分割パターンは、図３に示すように、１５通りなので、この分割パターン情報ＤＰＩは４ビットで足りる情報である。
【００２８】
ＶＲＡＭ１２への所望の画像の伸長データと分割パターン情報ＤＰＩの格納が終了した後に、描画回路１３が、それらの情報に基づいて、表示部３に画像表示を行うのであるが、ここで、本発明の発明者は、特定のノイズ状のパターンについていわゆる三角形分割手法を用いて補間処理を行った場合に、菱形の繰り返しになってしまうのが、上述の分割パターン情報ＤＰＩについての各格子領域間のパターンの関係を判定することで、予め分かることを発見した。
【００２９】
従って、本発明においては、補間処理により補間すべき画素が含まれる格子領域についての分割パターンと、その周辺の格子の分割パターンとの関係が特定の関係にある場合には、その補間すべき画素についての補間については、三角形分割手法ではなく、例えばバイリニア法に変更する。これにより菱形の繰り返しが発生することを回避することができる。
【００３０】
上述の特定の関係というのは、具体的には、以下のような場合である。例えば、図８に示すように、画素値“１”と“０”と（ここでは便宜上１が最大で０が最小とする）が２次元的に交互に表れているノイズ状のパターンの場合、各格子領域の各分割パターンは同図に示すようなパターンとなり、この場合には補間により拡大処理を行うと、本来とは異なる菱形が現れてしまうことが分かる。そこで、このときの補間画素が含まれる格子領域についての分割パターンの、その周辺の分割パターンとの関係をみてみると、補間画素が含まれる格子領域の分割パターンが、左下がりのパターンであるのに対して、その上下左右の各格子領域の分割パターンがいずれも右下がりのパターンになっていることが分かる。従って、分割パターンの関係がこのような関係になっている場合には、三角形分割手法をやめて、バイリニア法等に変更すれば、好ましくない菱形が現れてしまうことを避けることができることになる。
【００３１】
かかる観点から、本発明においては、原則、三角形分割手法に基づき補間処理を行うものの、注目する格子領域（補間画素が含まれる格子）の分割パターンが、その上下左右の格子領域の分割パターンと上述の関係にある場合に、例外的に、その注目する格子領域については、三角形分割手法ではなく、バイリニア法等に変更する。
【００３２】
上述の観点から図５（ａ）及び（ｂ）は、画像表示プロセッサ１における描画回路１３の処理手順を示すフローチャートである。
【００３３】
同図を参照して、描画回路１３内の補間回路１３１は、拡大・回転・変形等により補間して求めるべき画素が生じた場合、ＶＲＡＭ１２内の複数の画素を参照してその画素値を決定する（ステップＳ３）。詳細には、補間すべき画素ごとに以下の処理を行う。すなわち、まず、補間回路１３１は、注目する補間画素が含まれる格子領域を認識する（ステップＳ３１）。次に、補間回路１３１は、当該格子領域についての分割パターンと、その上下左右に隣接する格子領域の各分割パターンとをＶＲＡＭ１２から読み込む（ステップＳ３２）。
【００３４】
そこで、補間回路１３１内の補間手法判定部１３１１が、上下左右の隣接格子領域の各分割パターンの分割の向きが、すべて当該格子領域の分割パターンの分割の向きとは逆向きであるか否かを判定する（ステップＳ３３）。その結果、上下左右の隣接格子領域の各分割パターンが、すべて当該格子領域の分割パターンとは逆向きであった場合（肯定判定）には、ステップＳ３６に移行し、一方、上下左右の隣接格子領域の各分割パターンのすべてが当該格子領域の分割パターンとは逆向きではなかった、言い換えれば、すくなくとも１つが一致していた場合（否定判定）には、ステップＳ３４に移行する。
【００３５】
ステップＳ３４及びＳ３５においては、三角形分割補間部１３１２が、補間すべき画素の値を三角形分割手法に基づき求める。
【００３６】
ここで、各分割パターンのそれぞれの場合における参照（サンプリング）画素の取り方について説明する。図６（ａ）〜（ｈ）は、参照画素の取り方を示した分割パターンの例を示す図である。例えば、同図（ａ）のように、分割なしのパターンの場合には、格子の各頂点の画素ｐ（ｕｌ），ｐ（ｕｒ），ｐ（ｄｌ），ｐ（ｄｒ）の線形補間により補間すべき画素ｉｐの値を算出する。また、同図（ｂ）の２分割の場合であって、同図に示す位置の補間すべき画素ｉｐの場合、画素ｐ（ｕｌ），ｐ（ｕｒ），ｐ（ｄｌ）の値に基づき、補間すべき画素ｉｐの値を算出する。また、同図（ｃ）に示す３分割の１パターンであって、同図に示す位置の補間すべき画素ｉｐの場合、画素ｐ（ｕｒ），ｐ（ｄｌ），ｐ（ｄｌｌ）の値に基づき、補間すべき画素ｉｄの値を算出する。また、同図（ｄ）に示す３分割の１パターンであって、同図に示す位置の補間すべき画素ｉｐの場合、画素ｐ（ｕｒ），ｐ（ｄｌ），ｐ（ｕｒｒ）の値に基づき、補間すべき画素ｉｄの値を算出する。また、同図（ｅ）に示す３分割の１パターンであって、同図に示す位置の補間すべき画素ｉｐの場合、画素ｐ（ｕｒ），ｐ（ｄｌ），ｐ（ｕｒｕ）の値に基づき、補間すべき画素ｉｄの値を算出する。また、同図（ｆ）に示す３分割の１パターンであって、同図に示す位置の補間すべき画素ｉｐの場合、画素ｐ（ｕｒ），ｐ（ｄｌ），ｐ（ｄｌｄ）の値に基づき、補間すべき画素ｉｄの値を算出する。また、同図（ｇ）及び（ｈ）に示す４分割の各パターンについても、各分割領域において同様である。更に、図には例示していない他の７つの分割パターンについても同様である。
【００３７】
従って、結局、図６（ｉ）に示す１２個の画素の値があれば、その格子内の補間すべき画素については、値が決定できることになる。しかして、図５（ｂ）に戻り、ステップＳ３４において、三角形分割補間部１３１２は、当該格子領域について、その１２個の画素の値をＶＲＡＭ１２から読み込む。そして、図６を参照して説明したように、三角形分割補間部１３１２は、分割パターンの情報と１２個の画素の値に基づき、補間すべき画素ｉｄの値を算出する（ステップＳ３５）。
【００３８】
一方、ステップＳ３６及びＳ３７においては、バイリニア補間部１３１３が、補間すべき画素の値をバイリニア法に基づき求める（ステップＳ３６，Ｓ３７）。すなわち、まず、バイリニア補間部１３１３は、当該格子（補間画素が含まれる格子）に対応する４つの画素値をＶＲＡＭ１２から読み込む（ステップＳ３６）。そして、バイリニア補間部１３１３は、バイリニア法に基づき、読み込んだ画素値から補間画素の値を求める（ステップＳ３７）。なお、三角形分割手法においても図５（ａ）に示すようにバイリニア法で処理される場合があるが、ステップＳ３７の趣旨は、三角形分割手法によれば図４の２分割乃至４分割されてしまう格子についても、一定条件下で、強制的にバイリニア法で処理するという趣旨である。
【００３９】
そして、すべての補間すべき画素について値が求まると、ステップＳ３の処理が終了する（ステップＳ３８，Ｓ３９）。
【００４０】
なお、ステップＳ３３において肯定判定の場合、すなわち三角形分割手法ではなく、バイリニア法で補間すべきと判定された場合には、ＶＲＡＭ１２に記憶された当該格子領域に係る分割パターンの情報を「三角形分割なし」の情報に書き換えることもできる。このようにすれば、ステップＳ３１において認識する、注目する補間画素が含まれる格子領域が、既に処理した補間画素に係る格子領域と同じ場合、当該格子領域についてのステップＳ３３の判定処理は行う必要がなく、当該格子領域に係る分割ブロックの情報（分割なしの情報を含む）に基づき、ステップＳ３４及びＳ３５、又はステップＳ３６及びＳ３７の処理を行えばよいことになる。
【００４１】
図５（ａ）に戻り、描画回路１３は、その他の描画処理を施し、補間された画素を含む画素の値に基づき、表示部３に画像を表示する（ステップＳ４）。
【００４２】
なお、上述のステップＳ３３において、上下左右の隣接格子領域のすべての分割パターンの分割の向きが、補正すべき画素が含まれる格子領域の分割パターンの分割の向きと逆向きである場合に限り、三角形分割手法を用いずにバイリニア法としたのは、原則は三角形分割手法であり、限定的にバイリニア法として、三角形分割手法の利点を最大限に享受するためである。
【００４３】
なお、上述においては、ステップＳ３４において、１２個の画素を一律にＶＲＡＭ１２から読み込んでいるが、分割パターンに応じて、必要な画素のみを読み込むようにしてもよい。なお、一律に読み込んだ方が、可変の数の画素を読み込むよりは、読み込み処理は簡易な形式となる。
【００４４】
また、上述の実施形態おいては、三角形分割手法に対する例外的な手法としてバイリニア法を採用したが、バイリニア法に代えて、バイキュービック法を採用することもできる。但し、その場合には、通常、補間に１６画素が必要であるため、ステップＳ３６において、格子を構成する画素を含めてその数の画素を読み込む必要がある。更に、バイリニア法やバイキュービック法は、周囲に均等に参照点をとる手法であるので、三角形分割手法のような歪が生じることがない。従って、周囲に均等に参照点をとる手法であればよい。
【００４５】
以上のように、上述の本発明の一実施形態によれば、原則的に三角形分割手法を採用して高品質に補間処理を行うと共に、特定のノイズ状のパターンの部分には、バイリニア法に切り替えて処理しているので、菱形の繰り返しが表出することなく適切に補間処理を行える。このことを図７を参照して説明すると、図７（ａ）に示すような、自然画と特定パターンのスクリーントーンが斜めのエッジを境界として含まれている元画像を拡大する場合、三角形分割手法のみに基づく補間処理によれば、同図（ｃ）に示すように、エッジ部分は鮮明に表れるのに対して、スクリーントーンの部分は、元画像が歪んで菱形の繰り返しが現れてしまう。これに対して、本発明の一実施形態によれば、同図（ｂ）に示すように、エッジ部分が鮮明になる上に、特定パターンのスクリーントーンの部分も拡大に伴ってそのまま自然にぼやけてくれる。
【００４６】
更に、本発明の一実施形態においては、三角形分割評価回路１４が、予め画像デコーダ１１における伸長処理に対してパイプライン処理的に分割パターン情報ＤＰＩを一括して求めておくことを前提としている。従って、三角形分割手法を採用するに際して、処理の効率化を図っている。すなわち、伸長画像データＰＤと対応させてその分割パターン情報ＤＰＩを格納しておくので、描画回路１３は、画像の拡大や変形があるごとに、分割パターンを算出する必要はなく、同じ画像であれば、ＶＲＡＭ１２に格納しておいた同一の分割パターン情報ＤＰＩを参照できる。また、画像デコーダ１１及び三角形分割評価回路１４がそれぞれの処理を行っている間は、描画回路１３は、それとは関わらない任意の描画処理を行うことができる。
【産業上の利用可能性】
【００４７】
本発明の画像表示処理方法及び画像表示処理装置は、例えば漫画の表示する場合に適用できる。
【符号の説明】
【００４８】
１  画像表示プロセッサ
１１  画像デコーダ
１２  ＶＲＡＭ
１３  描画回路
１３１  補間回路
１３１１  補間手法判定部
１３１２  三角形分割補間部
１３１３  バイリニア補間部
１４  三角形分割評価回路
２  画像データＲＯＭ
３  表示部
ｐ  画素
ｉｐ  補間すべき画素
【図１】
2014048941.tif 000003
【図２】
2014048941.tif 000004
【図３】
2014048941.tif 000005
【図４】
2014048941.tif 000006
【図５】
2014048941.tif 000007
【図６】
2014048941.tif 000008
【図７】
2014048941.tif 000009
【図８】
2014048941.tif 000010